(57)【要約】【課題】予約を設定した内容と、各予約設定した内容の全体的な状況が把握し易い録画再生装置を提供する。【解決手段】  各予約の行に重なるように表示されている棒グラフ３１が、予約録画の時間帯を表している。横の罫線３２が時間軸となり、１画面に入る予約の開始時間の最小値、終了時間の最大値の範囲が横軸の範囲となる。図３では時間軸の先頭３３が７/１（金）17:00、時間軸の最後３４が７/７(水)01:00となる。１行に１つの予約情報が表示されるため、１行に表示される棒グラフは１つとなる。棒グラフは半透明で表示し、予約の開始時刻等の情報が見えなくならないようになっている。時間帯が重複して録画されない部分３５は、棒グラフの色、模様、形を録画される部分と変える。これにより、ユーザーは重複する時間帯のある予約を一目で判断できる。【選択図】  図３
2006108751.tif 000002
【特許請求の範囲】
【請求項１】
録画予約した内容を表示装置に一覧表示させる録画再生装置において、
録画予約を設定する設定手段と、
設定された録画予約の設定内容のうち、１つの予約設定につき、少なくともチャンネル番号、録画開始日、録画開始時刻、録画終了時刻を１行として、複数の設定内容を複数行表示した予約一覧表を表示し、この一覧表に予約した時間に応じた棒グラフを合成表示する表示制御手段とを具備したことを特徴とする録画再生装置。
【請求項２】
前記一覧表の横軸を時間軸として棒グラフを表示したことを特徴とする請求項１記載の録画再生装置。
【請求項３】
録画予約が重複した予約設定に対しては、棒グラフの表示内容を変更して表示することを特徴とする請求項２記載の録画再生装置。
【請求項４】
先に始まる予約の終了時間が、次の予約の開始時間となる場合、録画されない先の予約の終了部分、もしくは次の予約の開始部分の棒グラフの表示内容を変更して表示することを特徴とする請求項２記載の録画再生装置。
【発明の詳細な説明】
【技術分野】
【０００１】
本発明は放送番組などを受信して、磁気ディスク装置などの記録媒体に記録する録画再生装置に関し、特に録画予約した内容の表示方法に関する。
【背景技術】
【０００２】
近年、予めチャンネルや開始終了時刻の設定を受け、その設定に基づいて放送番組を受信し、記録媒体に記録する録画再生装置が広く普及している。
【０００３】
このように録画再生装置で、番組録画を設定する際には、利用者は、録画装置に接続された表示装置を参照しながら作業する。近年は電子番組表などをネットワーク上から取得する等して簡単に録画予約を設定することができるようになっている。そして、予約録画を設定した設定内容を表示装置に一覧表示させて、利用者が予約状況を把握しやすいようにしている。
【０００４】
例えば、新規予約登録画面に、既に登録された予約の表を棒グラフとして表示することにより、予約録画が重複しないように予約の設定をすることが容易にできるようにしたものがある。  
【特許文献１】特開平１０−１０６０６２号公報  （図５乃至図７）
【発明の開示】
【発明が解決しようとする課題】
【０００５】
しかし、従来のような予約の設定方法や、設定した予約状況の一覧表示の方法の場合、予約の登録画面に予約の棒グラフを表示するに止まっており、実際に予約を設定した予約情報と同時に棒グラフを確認することができない。
【０００６】
そこで、本発明は、予約を設定した内容と、各予約設定した内容の全体的な状況が把握し易い録画再生装置を提供することを目的とするものである。
【課題を解決するための手段】
【０００７】
上記した課題を解決し目的を達成するために、録画予約した内容を表示装置に一覧表示させる録画再生装置において、録画予約を設定する設定手段と、設定された録画予約の設定内容のうち、１つの予約設定につき、少なくともチャンネル番号、録画開始日、録画開始時刻、録画終了時刻を１行として、複数の設定内容を複数行表示した予約設定一覧表を表示し、この一覧表に、予約した時間に応じた棒グラフを合成表示する表示制御手段とを具備したものである。
【０００８】
また本発明は上述した課題を解決するため、前記一覧表の横軸を時間軸として棒グラフを表示したものである。
【０００９】
また本発明は上述した課題を解決するため、録画予約が重複した予約設定に対しては、棒グラフの表示内容を変更して表示したものである。
【００１０】
また本発明は上述した課題を解決するため、先に始まる予約の終了時間が、次の予約の開始時間となる場合、録画されない先の予約の終了部分、もしくは次の予約の開始部分の棒グラフの表示内容を変更して表示したものである。
【発明の効果】
【００１１】
本発明によれば、録画再生装置の予約一覧画面に、横軸を時間軸とした棒グラフを同時表示することにより、時間帯が重複する予約状況を容易に把握することができる。
【発明を実施するための最良の形態】
【００１２】
以下、図面を参照して本発明による録画再生装置の実施の形態を説明する。
【００１３】
図１は、本発明の一実施形態を示す録画再生装置のシステム構成を示すブロック図である。
【００１４】
録画再生装置１０は、利用者が設定した録画予約に基づいて、放送番組を受信し、受信した映像データを圧縮符号化して、磁気ディスク装置（ＨＤＤ）１１等の記録媒体に記録するものであり、図１に示すように、ＴＶチューナ１２、エンコーダ部１３、ＭＰＵ１４、表示部１５、タイマー１６、ユーザ操作入力部１７、メモリ１８、プログラムＲＯＭ１９を有している。
【００１５】
ＴＶチューナ１２は、複数のチャンネルの中から所望のチャンネルを選択して放送番組を受信するものである。そしてエンコーダ部１３はこのＴＶチューナ部１２により受信された放送番組データを例えばＭＰＥＧ２フォーマットで圧縮符号化するものである。このエンコーダ部１３で圧縮符号化された放送番組データは、ＨＤＤ１１等の記録媒体に格納される。ＨＤＤ１１は大容量の記録媒体であり、数十〜数百時間分の放送番組データを格納することができる。
【００１６】
ＭＰＵ１４は、この録画再生装置１０全体の制御を司り、前述した放送番組の受信、圧縮符号化およびＨＤＤ１１への格納や後述する再生処理や、録画予約状況の表示制御など全ての処理を統合的に制御する。
【００１７】
表示部１５は、ＴＶチューナ１２で受信された放送番組や、ＨＤＤ１１に記録された放送番組データの再生表示、または予約録画を設定する際の設定画面は、設定された予約録画一覧表の表示を行う表示モニタである。
【００１８】
プログラムＲＯＭ１９は、ＭＰＵ１４が実行する動作プログラムを格納したＲＯＭであり、ＭＰＵ１４は記録モード、再生モード、予約録画モードなど、各動作モードに応じたプログラムをプログラムＲＯＭ１９から読み出し、主メモリ１８を用いて各種制御動作を実行する。タイマー１６は現在時刻を計測する時計回路で、利用者が録画設定した時刻を検出して録画動作を開始させる。ユーザ操作入力部は、記録再生装置１０を操作するための入力部であり、記録再生装置本体に設けられたスイッチ類や、リモコンなどがこれにあたる。
【００１９】
このような記録再生装置１０において、本実施形態における予約録画機能による予約録画一覧画面の表示内容について、以下図２乃至図４を用いて説明する。
【００２０】
図２は、通常の予約録画一覧画面を示している。表示装置１８に表示される予約録画一覧は、通常、図２のように、録画するチャンネル、録画開始日、録画開始時刻、終了時刻などが文字列として表示されている。一覧は現在時刻に近い順序で並んでいるが、各予約の時間帯が重なっているかの判断は、開始、終了時刻から算出する必要があり、一見して分かるようなものにはなっていない。そのため、時間帯が重複する予約の開始・終了時刻を調整しようと思っても、予約一覧から対象となる予約を見つけ出すことが容易でない。このような背景から、本実施形態では、予約一覧から時間帯が重複する予約を容易に判断できるようにすることを目的としている。
【００２１】
そこで本実施形態を適用した録画再生装置における予約一覧画面の例が図３である。各予約の行に重なるように表示されている棒グラフ３１が、予約録画の時間帯を表している。横の罫線３２が時間軸となり、右方向が未来となる。１画面に入る予約の開始時間の最小値、終了時間の最大値の範囲が横軸の範囲となる。図３では時間軸の先頭３３が７/１（金）17:00、時間軸の最後３４が７/７(水)01:00となる。
【００２２】
１行に１つの予約情報が表示されるため、１行に表示される棒グラフは１つとなる。棒グラフは半透明で表示し、予約の開始時刻等の情報が見えなくならないようになっている。時間帯が重複して録画されない部分３５は、棒グラフの色、模様、形を録画される部分と変える。これにより、ユーザーは重複する時間帯のある予約を一目で判断できる。図３では、録画される時間帯が赤、時間帯の重複により録画されない部分が黄色で示されている。例えば、No２とNo３の予約の時間帯が重複しており、録画されない時間帯３５が黄色で示されている。
【００２３】
記録再生装置によっては、先に始まる予約の終了時間が、その次に始まる予約の開始時間と等しいような場合（以下隣接予約と呼ぶ）、先に始まる予約の終了数秒、もしくは次に始まる予約の先頭数秒が欠けるような処理を行うものがある。隣接予約により数秒かける部分も、棒グラフの色、模様、形を変えることによりユーザーに示すことが可能である。図３では、No５とNo６の予約が隣接予約となっており、録画の書ける部分３６を青色で表示している。
【００２４】
また記録再生装置の予約可能個数によっては、予約一覧が複数のページに渡ることがある。その場合でも、１画面に入る範囲の予約重複のみでなく、前のページ、次のページの予約との時間帯重複部分も棒グラフで表示する。図３では、No８の予約が次頁の予約と時間帯が重複しており、予約できない部分３７が黄色で表示されている。予約一覧は時間順で並んでいるため、１画面の先頭、もしくは最後の予約で画面外の予約との時間帯重複が発生する可能性がある。
【００２５】
本実施形態では、予約録画の時間帯重複を判断しやすくすることが目的であるため、棒グラフの長さや予約と予約の間隔を実時間に合わせる必要はない。ある予約と次の予約の時間帯が非常に離れている場合でも、棒グラフ間の間隔を短くして、ある予約と次の予約が実際より近くにあるように表示してよい。ただし隣接させたり重複させたりしてはならない。
【００２６】
次に、図４は、予約時間帯を示すの棒グラフを、予約の行ではなく予約と予約の間の罫線に表示した例である。図３と同様に、予約時間を表す棒グラフ４１、重複により録画されない部分４２、近接により録画が欠ける部分４３が表示可能である。半透明表示が不可能な録画再生機器では、このように表示することにより実現が可能となる。
【００２７】
また本実施形態の他の変形例として、予約一覧上に、日付毎に棒グラフの色、模様、形を変えて表示するものであってもよい。例えば、７/１(木)の予約：ピンク、７/２(金)の予約：うす緑、７/３(土)の予約：オレンジ、７/５(月)の予約：深緑、７/６(火)の予約：紫で表示する等である。
【００２８】
以上説明したように本実施形態によれば、録画再生装置の予約一覧画面に、横軸を時間軸とした棒グラフを同時表示することにより、時間帯が重複する予約状況を容易に把握することができる。
【図面の簡単な説明】
【００２９】
【図１】本発明の実施の形態による録画再生装置のシステム構成を示すブロック図である。
【図２】同実施の形態による通常の予約録画一覧画面を示す図である。
【図３】同実施の形態による録画予約一覧画面に、予約状況を示す棒グラフを同時表示させた図である。
【図４】同実施形態による録画予約一覧画面の変形例を示す図である。
【符号の説明】
【００３０】
１１…ＨＤＤ、１２…ＴＶチューナ、１３…エンコーダ部、１４…ＭＰＵ、１５…表示部、１６…タイマー、１７…ユーザ操作入力部、１８…メモリ、１９…プログラムＲＯＭ。
【図１】
2006108751.tif 000003
【図２】
2006108751.tif 000004
【図３】
2006108751.tif 000005
【図４】
2006108751.tif 000006